(57)【要約】  本開示では、ケース（２０）の内部に設置されるマイク（４０）と、電子デバイス（１００）と、モバイル端末とを提供する。マイク（４０）は、ハウジング（４２）と、ハウジング（４２）の内部の振動膜（４４）群であって、ハウジング（４２）によって、振動膜（４４）に面する集音孔（４２１）を画定する、振動膜（４４）群と、ハウジング（４２）をケース（２０）に接続し、第１の導音管（４６２）および第２の導音管（４６４）を画定するコネクタ（４６）と、を含み、第１の導音管（４６２）の２つの端が第１の音入射孔（２０２）および第２の音入射孔（２０４）とそれぞれ連通し、第２の導音管（４６４）の第１の端が第１の導音管（４６２）と連通し、第２の導音管（４６４）の第２の端が集音孔（４２１）と連通する。
2021501531.tif 000002
【特許請求の範囲】
【請求項１】
ケース（２０）の内部に設置されるように適合されているマイク（４０）であって、前記ケース（２０）によって第１の音入射孔（２０２）および第２の音入射孔（２０４）を画定し、前記マイク（４０）は、
ハウジング（４２）と、
前記ハウジング（４２）の内部の振動膜（４４）群であって、前記ハウジング（４２）によって、前記振動膜（４４）に面する集音孔（４２１）を画定する、振動膜（４４）群と、
前記ハウジング（４２）を前記ケース（２０）に接続するように適合され、第１の導音管（４６２）および第２の導音管（４６４）を画定するコネクタ（４６）と、
を備え、
前記第１の導音管（４６２）の一端が前記第１の音入射孔（２０２）と連通する一方で前記第１の導音管（４６２）の他端が前記第２の音入射孔（２０４）と連通し、前記第２の導音管（４６４）の第１の端が前記第１の導音管（４６２）と連通し、前記第２の導音管（４６４）の第２の端が前記集音孔（４２１）と連通する、マイク（４０）。
【請求項２】
前記第２の導音管（４６４）の前記第１の端は前記第１の導音管（４６２）の中央部に接続している、請求項１に記載のマイク（４０）。
【請求項３】
前記第１の導音管（４６２）は直線的な構成または円弧構成を有する、請求項１または２に記載のマイク（４０）。
【請求項４】
前記第１の導音管（４６２）は連ねて接続されて１つにされる複数の直線状の管を備え、前記複数の直線状の管のうちの各隣接する２つは円弧形の移行部によって滑らかに接続される、請求項３に記載のマイク（４０）。
【請求項５】
前記コネクタ（４６）によって収容空間（４６６）を画定し、前記ハウジング（４２）および前記振動膜（４４）は前記収容空間（４６６）内で受け入れられ、前記収容空間（４６６）は前記集音孔（４２１）を通じて前記第２の導音管（４６４）と連通する、
請求項１から４のいずれか一項に記載のマイク（４０）。
【請求項６】
前記コネクタ（４６）と前記ケース（２０）とは一体形成される、請求項１から５のいずれか一項に記載のマイク（４０）。
【請求項７】
前記第１の音入射孔（２０２）および前記第２の音入射孔（２０４）は離間し、前記ケース（２０）の同一外面に配置される、
請求項１から６のいずれか一項に記載のマイク（４０）。
【請求項８】
前記第１の音入射孔（２０２）および前記第２の音入射孔（２０４）は前記ケース（２０）の異なる２つの外面に配置される、
請求項１から６のいずれか一項に記載のマイク（４０）。
【請求項９】
前記第１の音入射孔（２０２）および前記第２の音入射孔（２０４）は前記ケース（２０）の隣接する２つの外面に形成される、
請求項８に記載のマイク（４０）。
【請求項１０】
前記第１の音入射孔（２０２）および前記第２の音入射孔（２０４）は前記ケース（２０）の対向する２つの外面に形成される、
請求項８に記載のマイク（４０）。
【請求項１１】
前記ケース（２０）と請求項１から１０のいずれか一項に記載のマイク（４０）とを備える電子デバイス（１００）。
【請求項１２】
第１の音入射孔（２０２）および第２の音入射孔（２０４）を画定するケース（２０）であって、前記第１および第２の音入射孔（２０２，２０４）は前記ケース（２０）の内部および外部と連通する、ケース（２０）と、
前記ケース（２０）内で受け入れられ、
集音孔（４２１）を画定するハウジング（４２）と、
前記ハウジング（４２）に接続される振動膜（４４）であって、前記集音孔（４２１）は前記振動膜（４４）に面する、振動膜（４４）と
を備えるマイク（４０）と、
前記ケース（２０）に形成され、前記第１の音入射孔（２０２）および前記第２の音入射孔（２０４）と連通する第１の導音管（４６２）と、
前記ケース（２０）に形成され、前記第１の導音管（４６２）および前記集音孔（４２１）と連通する第２の導音管（４６４）と
を備えるモバイル端末。
【請求項１３】
前記ケース（２０）は、上壁、下壁、前壁、後壁、左壁および右壁を備える複数の側壁を備え、前記複数の側壁は接続されて１つにされ、
前記第１の音入射孔（２０２）と前記第２の音入射孔（２０４）とは両方とも、前記複数の側壁から選択される同一の壁に形成される、
請求項１２に記載のモバイル端末。
【請求項１４】
前記ケース（２０）は、上壁、下壁、前壁、後壁、左壁および右壁を備える複数の側壁を備え、前記複数の側壁は接続されて１つにされ、
前記第１の音入射孔（２０２）および前記第２の音入射孔（２０４）は、前記複数の側壁から選択される隣接する２つの壁または対向する２つの壁にそれぞれ形成される、
請求項１２に記載のモバイル端末。
【請求項１５】
前記ケース（２０）に収容空間（４６６）が形成され、前記マイク（４０）は前記収容空間（４６６）内で受け入れられる、
請求項１２に記載のモバイル端末。
【発明の詳細な説明】
【技術分野】
【０００１】
説明される本開示の実施形態は概して電子デバイスに関し、特に、マイク、マイク付のモバイル端末および電子デバイスに関する。
【背景技術】
【０００２】
携帯電話器、ラップトップ、ポータブル・メディア・ディスプレイヤ（ｐｏｒｔａｂｌｅ  ｍｅｄｉａ  ｄｉｓｐｌａｙｅｒ）およびデジタルカメラなどの電子デバイスは一般的に１つ以上のマイクを含む。たとえば、携帯電話器には通常２つ以上のマイクが含まれる場合がある。マイク毎に携帯電話器のケースに音入射孔を形成してもよい。音入射孔は、マイクの集音孔と直接連通する。音入射孔の径は通常小径であるので、埃によって塞がれ易い。したがって、マイクの動作上不利である場合があり、また、音入射孔の内部の埃を除くのは困難である。
【発明の概要】
【発明が解決しようとする課題】
【０００３】
本開示では、上記の課題を解決するために、マイク、電子デバイスおよびモバイル端末を提供する。
【課題を解決するための手段】
【０００４】
一態様では、マイクが提供される。マイクは、ケースの内部に設置されるように適合されてもよい。ケースによって第１の音入射孔および第２の音入射孔を画定してもよい。マイクは、ハウジングと、ハウジングの内部の振動膜群であって、ハウジングによって、振動膜に面する集音孔を画定する、振動膜群と、ハウジングをケースに接続するように適合され、第１の導音管および第２の導音管を画定するコネクタとを含み、第１の導音管の一端が第１の音入射孔と連通する一方で第１の導音管の他端が第２の音入射孔と連通し、第２の導音管の第１の端が第１の導音管と連通し、第２の導音管の第２の端が集音孔と連通する。
【０００５】
別の態様では、電子デバイスが提供される。電子デバイスは、上述したようなケースおよびマイクを含む。
【０００６】
さらに別の態様では、モバイル端末が提供される。モバイル端末は、第１の音入射孔および第２の音入射孔を画定するケースであって、第１および第２の音入射孔はケースの内部および外部と連通する、ケースと、ケース内で受け入れられ、集音孔を画定するハウジングと、ハウジングに接続される振動膜であって、集音孔は振動膜に面する、振動膜とを備えるマイクと、ケースに形成され、第１の音入射孔および第２の音入射孔と連通する第１の導音管と、ケースに形成され、第１の導音管および集音孔と連通する第２の導音管とを含む。
【０００７】
本開示の実施形態の技術的解決手段を明確に説明するために、以下、実施形態の説明で用いられている図面を簡単に説明する。以下の説明での図面は、本開示の一部の実施形態であるにすぎないことは明らかである。当業者はなんら創造的努力をせずに当該図面に基づいて他の図面も得ることができる。
【図面の簡単な説明】
【０００８】
【図１】本開示の一実施形態に係る電子デバイスの斜視図である。
【図２】図１の線ＩＩ−ＩＩに沿って切断した断面図である。
【図３】本開示の別の実施形態に係る電子デバイスの構造図を示す。
【図４】本開示の別の実施形態に係る電子デバイスの構造図を示す。
【図５】本開示の別の実施形態に係る電子デバイスの構造図を示す。
【図６】本開示の別の実施形態に係る電子デバイスの構造図を示す。
【図７】本開示の別の実施形態に係る電子デバイスの構造図を示す。
【図８】本開示の別の実施形態に係る電子デバイスの一部の斜視図である。
【図９】図８の線ＩＸ−ＩＸに沿って切断した断面図である。
【図１０】本開示の別の実施形態に係る電子デバイスの構造図を示す。
【図１１】本開示の別の実施形態に係る電子デバイスの一部の斜視図である。
【図１２】図１１の線ＸＩＩ−ＸＩＩに沿って切断した断面図である。
【図１３】本開示の別の実施形態に係る電子デバイスの構造図を示す。
【発明を実施するための形態】
【０００９】
以下、添付の図面および例を参照して本開示を詳細に説明する。説明されている実施形態は本開示の実施形態の一部にすぎず、実施形態のすべてではないことは明らかである。創造的努力をせずに本発明の実施の形態に基づいて当業者によって得られる他のすべての実施形態が本発明の保護範囲に含まれるものとする。
【００１０】
本明細書では、「上」、「下」、「左」および「右」などの用語は、その際に説明されている向きや、説明対象の図面で示されている向きを指すものと解釈されるべきであると解する。関係を表わす当該用語は説明の便宜上のものであり、開示物を特定の向きで構築したり動作させたりすることを必要としない。当該用語を本開示の範囲に対する限定とみなすべきではない。
【００１１】
本明細書では、「厚さ」などの用語は、その際に説明されている向きや、説明対象の図面で示されている向きを指すものと解釈されるべきであると解する。関係を表わす当該用語は説明の便宜上のものであり、開示物を特定の向きで構築したり動作させたりすることを必要としない。当該用語を本開示の範囲に対する限定とみなすべきではない。
【００１２】
一態様では、マイクが提供される。マイクは、電子デバイスのケースの内部に設置されるように適合される。電子デバイスのケースによって第１の音入射孔および第２の音入射孔を画定する。マイクは、ハウジングと、ハウジングの内部の振動膜群であって、ハウジングによって、振動膜に面する集音孔を画定する、振動膜群と、ハウジングを電子デバイスのケースに接続するように適合され、第１の導音管および第２の導音管を画定するコネクタとを含み、第１の導音管の一端が第１の音入射孔と連通する一方で第１の導音管の他端が第２の音入射孔と連通し、第２の導音管の第１の端が第１の導音管と連通し、第２の導音管の第２の端が集音孔と連通する。
【００１３】
一実施形態では、第２の導音管の第１の端は第１の導音管の中央部に接続していてもよい。
【００１４】
一実施形態では、第１の導音管は直線的な構成または円弧構成を有してもよい。
【００１５】
一実施形態では、第１の導音管は連ねて接続されて１つにされる複数の直線状の管を含んでもよく、各隣接する２つの直線状の管は円弧形の移行部によって滑らかに接続されてもよい。
【００１６】
一実施形態では、コネクタによって収容空間を画定してもよい。ハウジングおよび振動膜は収容空間内で受け入れられ、収容空間は集音孔を通じて第２の導音管と連通してもよい。
【００１７】
一実施形態では、コネクタと電子デバイスのケースとは一体形成されてもよい。
【００１８】
一実施形態では、第１の音入射孔および第２の音入射孔は離間し、電子デバイスのケースの同一外面に配置されてもよい。
【００１９】
一実施形態では、第１の音入射孔および第２の音入射孔は電子デバイスのケースの異なる２つの外面に配置されてもよい。
【００２０】
一実施形態では、第１の音入射孔および第２の音入射孔は電子デバイスのケースの隣接する２つの外面に形成されてもよい。
【００２１】
一実施形態では、第１の音入射孔および第２の音入射孔は電子デバイスのケースの対向する２つの外面に形成されてもよい。
【００２２】
別の態様では、電子デバイスが提供される。電子デバイスは、第１の音入射孔および第２の音入射孔を画定するケースと、マイクであって、ハウジングと、ハウジングの内部の振動膜群であって、ハウジングによって、振動膜に面する集音孔を画定する、振動膜群と、マイクのハウジングとケースとを接続し、第１の導音管および第２の導音管を画定するコネクタとを備えるマイクとを含み、第１の導音管の一端が第１の音入射孔と連通する一方で第１の導音管の他端が第２の音入射孔と連通し、第２の導音管の第１の端が第１の導音管と連通し、第２の導音管の第２の端が集音孔と連通する。
【００２３】
一実施形態では、第１の音入射孔および第２の音入射孔は離間し、電子デバイスのケースの同一外面に形成される。
【００２４】
一実施形態では、第１の音入射孔および第２の音入射孔は電子デバイスのケースの隣接する２つの外面に形成される。
【００２５】
一実施形態では、第１の音入射孔および第２の音入射孔は電子デバイスのケースの対向する２つの外面に形成される。
【００２６】
一実施形態では、コネクタによって収容空間を画定し、マイクは収容空間内で受け入れられ、収容空間は集音孔を通じて第２の導音管と連通する。
【００２７】
一実施形態では、コネクタはケースと一体形成される。別の態様では、モバイル端末が提供される。モバイル端末は、第１の音入射孔および第２の音入射孔を画定するケースであって、第１および第２の音入射孔はケースの内部および外部と連通する、ケースと、ケース内で受け入れられ、集音孔を画定するハウジングと、ハウジングに接続される振動膜であって、集音孔は振動膜に面する、振動膜とを備えるマイクと、ケースに形成され、第１の音入射孔および第２の音入射孔と連通する第１の導音管と、ケースに形成され、第１の導音管および集音孔と連通する第２の導音管とを含む。
【００２８】
一実施形態では、ケースは、上壁、下壁、前壁、後壁、左壁および右壁を備える複数の側壁を備え、複数の側壁は接続されて１つにされ、第１の音入射孔と第２の音入射孔とは両方とも、複数の側壁から選択される同一の壁に形成される。
【００２９】
一実施形態では、ケースは、上壁、下壁、前壁、後壁、左壁および右壁を備える複数の側壁を備え、複数の側壁は接続されて１つにされ、第１の音入射孔および第２の音入射孔は、複数の側壁から選択される隣接する２つの壁または対向する２つの壁にそれぞれ形成される。
【００３０】
一実施形態では、ケースに収容空間が形成され、マイクは収容空間内で受け入れられる。
【００３１】
図１および図２を参照して、図１は本開示の一実施形態に係る電子デバイスの斜視図である。［図２］図１の線ＩＩ−ＩＩに沿って切断した断面図である。本開示では電子デバイス１００を提供する。電子デバイス１００は、ケース２０と、ケース２０の内部に設置されるマイク４０とを含んでもよい。ケース２０によってその外面に第１の音入射孔２０２および第２の音入射孔２０４を画定してもよく、第１の音入射孔２０２および第２の音入射孔２０４は互いに離間してもよい。マイク４０は、ハウジング４２と、ハウジング４２の内部の振動膜４４群と、コネクタ４６とを含んでもよい。ハウジング４２によって振動膜４４に面する集音孔４２１を画定してもよい。コネクタ４６によって、互いに連通する第１の導音管４６２と第２の導音管４６４とを画定してもよい。第１の導音管４６２の一端が第１の音入射孔２０２と連通してもよい一方で、第１の導音管４６２の他端が第２の音入射孔２０４と連通してもよい。第２の導音管４６４の第１の端が第１の導音管４６２と連通してもよい一方で、第２の導音管４６４の第２の端が集音孔４２１と連通してもよい。本実施形態では、電子デバイス１００はスマートフォンなどのモバイル端末であってもよい。
【００３２】
他の実施形態では、電子デバイス１００はラップトップ、ポータブル・メディア・ディスプレイヤやデジタルカメラであってもよい。
【００３３】
本開示に係れば、第１の音入射孔２０２および第２の音入射孔２０４を電子デバイス１００のケース２０の外面に形成してもよく、これらが互いに離間してもよい。コネクタ４６の第１の導音管４６２の２つの端が第１の音入射孔２０２および第２の音入射孔２０４とそれぞれ連通してもよい。第２の導音管４６４の２つの端が第１の導音管４６２およびマイク４０の集音孔４２１とそれぞれ連通してもよい。したがって、埃や外部の物が第１の音入射孔２０２、第２の音入射孔２０４や第１の導音管４６２内で発見される場合、埃や外部の物を第２の音入射孔２０４から押し出すために、可撓性の細い棒状体を第１の音入射孔２０２に入れ、第１の導音管４６２に通し、第２の音入射孔２０４から出すことが可能である。第２の音入射孔２０４から埃や外部の物を除去するように第１の音入射孔２０２内にブローするのに高圧ガスを用いることもできる。第１の音入射孔２０２内にブローするのに高圧ガスを利用する場合、ガスの一部を第２の音入射孔２０４から通気させることができる。言い換えれば、高圧ガスの全部が直接振動膜４４をブローすることはない。したがって、振動膜４４上の空気の圧力を緩和することで、振動膜４４が損傷するのを防止することができる。
【００３４】
ケース２０は、下面２１、上面２３、左面２５、右面２６、前面２７および後面２８を含んでもよい。電子デバイス１００は表示画面３０をさらに含んでもよい。表示画面３０をケース２０の前面２７に配置してもよい。第１の音入射孔２０２と第２の音入射孔２０４とを離間させて電子デバイス１００のケース２０の同一外面に形成してもよい。すなわち、第１の音入射孔２０２と第２の音入射孔２０４とを両方とも、下面２１、上面２３、左面２５、右面２６、前面２７または後面２８のいずれか１つに形成してもよい。本実施形態では、前面２７は表示画面３０の方を向く面であり、後面２８は表示画面３０に背く側に向く面である。
【００３５】
本実施形態では、第１の音入射孔２０２および第２の音入射孔２０４をケース２０の下面２１に形成してもよい。第１の音入射孔２０２が左面２５に近くてもよい一方で、第２の音入射孔２０４が右面２６に近くてもよい。
【００３６】
他の実施形態では、第１の音入射孔２０２および第２の音入射孔２０４を電子デバイス１００のケース２０の異なる２つの外面にそれぞれ形成してもよい。たとえば、第１の音入射孔２０２および第２の音入射孔２０４を、下面２１および前面２７、下面２１および後面２８、下面２１および左面２５、下面２１および右面２６、上面２３および前面２７、上面２３および後面２８、上面２３および左面２５、上面２３および右面２６または前面２７および後面２８にそれぞれ形成してもよい。
【００３７】
コネクタ４２は下面２１の反対側の、ケース２０の内面に接続していてもよい。第１の導音管４６２を、連ねて接続されて１つにされる数個の直線状の管によって構成してもよい。第１の導音管は、ケース２０の幅方向に平行な接続部４６２１と、接続部４６２１の対向する２つの端にそれぞれ接続される２つの延伸部４６２３とを含んでもよい。左面２５に近い延伸部４６２３が第１の音入射孔２０２と連通してもよく、右面２６に近い延伸部４６２３が第２の音入射孔２０４と連通してもよい。本実施形態では、第２の導音管４６４は接続部４６２１の中央部に接続していてもよい。コネクタ４６を接着でケース２０に接続してもよく、ハウジング４２を接着でコネクタ４６に接続してもよい。
【００３８】
他の実施形態では、第２の導音管４６４は接続部４６２１の他の箇所に接続していてもよい。コネクタ４６をクランプ固定によってケース２０に接続してもよい。たとえば、数個のクリップをコネクタ４６上にセットしてもよく、コネクタ４６のクリップに対応する数個の溝をケース２０に形成してもよい。したがって、各クリップを対応する溝に接続することができる。
【００３９】
他の実施形態では、コネクタ４６を螺合によってケース２０に接続してもよい。たとえば、コネクタ４６によって数個の貫通孔を画定してもよく、ケース２０によってコネクタ４６の貫通孔に対応する数個のネジ孔を画定してもよい。したがって、貫通孔を貫通してネジ孔に接続される数個のネジを用いて、コネクタ４６をケース２０に接続してもよい。
【００４０】
他の実施形態では、溶融すなわち溶接などの他の手法によってコネクタ４６をケース２０に接続してもよい。
【００４１】
マイク４０はプリント基板（ＰＣＢ）４８をさらに含んでもよい。プリント基板４８を電子デバイス１００のメインボード（図示せず）に電気的に接続してもよい。ＰＣＢ４８上に振動膜４４をセットしてもよい。ハウジング４２によってＰＣＢ４８および振動膜４４を受け入れる空所４５を画定してもよい。本実施形態では、マイク４０はシリコンマイクであってもよい。マイク４０は微小電気機械システム（ＭＥＭＳ）チップを含んでもよい。ＭＥＭＳチップは振動膜４４およびＰＣＢ４８を含んでもよい。ＭＥＭＳチップの原理によれば、振動膜４４は、音の変化によって引き起こされる音圧の変化を受けて変形することで、振動膜４４とＰＣＢ４８との間の静電容量を変換させることができる。静電容量の変化を静電容量・電圧変換回路の出力電圧の変化によって反映してもよい。音圧信号は、出力電圧を増幅回路によって増幅した後に電圧信号に最終的に変換される。
【００４２】
音は第１の音入射孔２０２および第２の音入射孔２０４に入射した後、第１の導音管４６２に入射し、最後に第２の導音管４６４を通じて集音孔４２１に入射することができる。音によって発生する音圧により、振動膜４４を変形させることができる。音圧信号をＰＣＢ４８によって電圧信号に変換することができる。電子デバイス１００は第１の音入射孔２０２および第２の音入射孔２０４を有するので、音入射孔の一方が埃や外部の物によって閉塞される場合でも、マイク４０が安定的に動作するように、他方の音入射孔、第１の導音管４６２および第２の導音管４６４を通じて引き続き音圧を振動膜４４に伝達し続けることが可能である。同様に、ユーザが電子デバイス１００を持っているときに音入射孔の一方がユーザの手によって閉塞される場合、マイク４０が安定的に動作するように、他方の音入射孔、第１の導音管４６２および第２の導音管４６４を通じて音圧を振動膜４４に伝達し続けることが可能である。ユーザが同時に第１の音入射孔２０２および第２の音入射孔２０４を閉塞する蓋然性は低い。したがって、マイク４０が安定的に動作することができることが保証される。埃や外部の物が第１の音入射孔２０２、第２の音入射孔２０４や第１の導音管４６２内で発見される場合、埃や外部の物を第１の音入射孔２０２から押し出すために、可撓性の細い棒状体を第２の音入射孔２０４に入れ、第１の導音管４６２に通し、第１の音入射孔２０２から出すことが可能である。第１の音入射孔２０２から埃や外部の物を除去するように第２の音入射孔２０４内にブローするのに高圧ガスを用いることもできる。第２の音入射孔２０４にブローするのに高圧ガスを利用する場合、ガスの一部を第１の音入射孔２０２から通気させることができる。言い換えれば、高圧ガスの全部が直接振動膜４４をブローすることはない。したがって、振動膜４４上の空気の圧力を緩和することで、振動膜４４が損傷するのを防止することができる。
【００４３】
図３を参照して、図３は本開示の別の実施形態に係る電子デバイスの構造図を示す。電子デバイスの構造は上記の実施形態で説明されているものと同様である。ただし、本実施形態では、コネクタ４６によって収容空間４６６を画定してもよい。マイクのハウジング４２を収容空間４６６内で受け入れてもよい。本実施形態では、収容空間４６６をコネクタ４６の、第１の音入射孔２０２および第２の音入射孔２０４とは反対の側に配置してもよく、収容空間４６６は集音孔４２１を通じて第２の導音管４６４と連通してもよい。組み立ての際、ハウジング４２を収容空間４６６に直接設置してもよく、当然、集音孔４２１は第２の導音管４６４と連通する。マイク４０の設置を容易にし、ハウジング４２を強固に固定するようにマイクのハウジング４２を受け入れるのにコネクタ４６の収容空間４６６を利用することができる。
【００４４】
図４を参照して、図４は本開示の別の実施形態に係る電子デバイスの構造図を示す。電子デバイスの構造は上記の実施形態で説明されているものと同様である。ただし、本実施形態では、コネクタ４６をケース２０と一体形成してもよい。すなわち、本実施形態のコネクタ４６ａがケース２０の一部であってもよい。コネクタ４６ａとケース２０とを一体形成することにより、設置コストが下がるようにコネクタ４６およびケース２０の製造プロセスを単純化することができる。この状態では、第１の導音管４６２の２つの端の開口はそれぞれ第１の音入射孔２０２および第２の音入射孔２０４である。したがって、孔を形成するためのコストを下げることができ、コネクタ４６とケース２０との接続が強くなり得る。第１の導音管４６２の接続部４６２１と各延伸部４６２３とを円弧形の移行部によって滑らかに接続してもよく、これにより、音が第２の導音管４６４に入射することが容易になり、また、第１の音入射孔２０２、第２の音入射孔２０４および第１の導音管４６２の清掃が簡単になる。
【００４５】
図５を参照して、図５は本開示の別の実施形態に係る電子デバイスの構造図を示す。電子デバイスの構造は上記の実施形態で説明されているものと同様である。ただし、本実施形態では、コネクタ４６をケース２０と一体形成してもよい。すなわち、コネクタ４６ｂがケース２０の一部であってもよい。本実施形態では、第１の導音管４６２ａが円弧形状の導音管を有してもよい。円弧形状の導音管は振動膜４４の方に偏向していてもよい。円弧形状の導音管の２つの端の開口はそれぞれケース２０の第１の音入射孔２０２および第２の音入射孔２０４であってもよい。第２の導音管４６４の一端が第１の導音管４６２ａの頂部に接続されてもよく、第２の導音管４６４の他端が集音孔４２１と連通してもよい。円弧構成を有する第１の導音管４６２ａにより、音が第２の導音管４６４に入射することが容易になり、また、第１の音入射孔２０２、第２の音入射孔２０４および第１の導音管４６２の清掃が簡単になる。
【００４６】
図６を参照して、図６は本開示の別の実施形態に係る電子デバイスの構造図を示す。電子デバイスの構造は上記の実施形態で説明されているものと同様である。ただし、本実施形態では、第１の導音管４６２ｂが第１の音入射孔２０２および第２の音入射孔２０４からそれぞれ延びて、直線的に第２の導音管４６４に向かって延びる２つの半部分４６２４を含む。２つの半部分４６２４を互いに接続させてもよく、２つの半部分４６２４を互いに接続させる箇所に第２の導音管４６４を接続してもよい。
【００４７】
図７を参照して、図７は本開示の別の実施形態に係る電子デバイスの構造図を示す。電子デバイスの構造は上記の実施形態で説明されているものと同様である。ただし、本実施形態では、第１の導音管４６２ｃが２つの半部分４６２５を含んでもよい。半部分４６２５の一方がまず第１の音入射孔２０２からハウジング４２に向かって延びてもよく、次に第２の導音管４６４の方に偏向してもよい。他方の半部分４６２５はまず第２の音入射孔２０４からハウジング４２に向かって延びてもよく、次に第２の導音管４６４の方に偏向してもよい。下面２１から離れた方の、２つの半部分４６２５の端を互いに接続させてもよく、２つの半部分４６２５を互いに接続させる箇所に第２の導音管４６４を接続してもよい。
【００４８】
図８および図９を参照して、図８は本開示の一実施形態に係る電子デバイスの斜視図であり、図９は図８の線ＩＸ−ＩＸから得られる断面図を示す。本実施形態の電子デバイスの構造は上記の実施形態で説明されているものと同様である。ただし、本実施形態では、コネクタ４６をケース２０と一体形成してもよい。すなわち、コネクタ４６ｃがケース２０の一部であってもよい。第１の音入射孔２０２を前面２７に形成して下面２１の近くに配置してもよい。第２の音入射孔２０４を下面２１に形成して第１の音入射孔２０２の近くに配置してもよい。言い換えれば、第１の音入射孔２０２および第２の音入射孔２０４を電子デバイス１００のケース２０の隣接する２つの外面にそれぞれ形成してもよい。第１の導音管４６２ｄの２つの端が第１の音入射孔２０２および第２の音入射孔２０４とそれぞれ連通してもよい。特に、第１の音入射管４６２ｄはまず第１の音入射孔２０２から後面２８に向かって延びてもよく、次に第２の音入射孔２０４を接続するように下面２１の方に偏向してもよい。第２の導音管４６４の一端が第１の導音管４６２ｄと連通してもよく、第２の導音管４６４の他端が集音孔４２１と連通してもよい。
【００４９】
他の実施形態では、第１の導音管４６２ｄは円弧形の移行部を有してもよい。
【００５０】
図１０を参照して、図１０は本開示の別の実施形態に係る電子デバイスの構造図を示す。電子デバイスの構造は上記の実施形態で説明されているものと同様である。ただし、本実施形態では、第１の導音管４６２ｅが円弧形状の導音管であってもよい。円弧形状の導音管の２つの端が第１の音入射孔２０２および第２の音入射孔２０４とそれぞれ連通してもよい。第２の導音管４６４の一端が第１の導音管４６２ｅと連通してもよく、第２の導音管４６４の他端が集音孔４２１と連通してもよい。
【００５１】
他の実施形態では、第１の音入射孔２０２を下面２１に形成してもよく、第２の音入射孔２０４を後面２８に形成して第１の音入射孔２０２の近くに配置してもよい。第１の導音管は第１の音入射孔２０２および第２の音入射孔２０４と連通してもよい。第１の導音管は直線的な構成や円弧構成を有してもよい。
【００５２】
他の実施形態では、第１の音入射孔２０２を前面２７に形成してもよく、第２の音入射孔２０４を第１の音入射孔２０２の近くで後面２８に形成してもよい。すなわち、第１の音入射孔２０２および第２の音入射孔２０４を電子デバイス１００のケース２０の対向する２つの外面にそれぞれ形成してもよい。第１の導音管は第１の音入射孔２０２および第２の音入射孔２０４と連通してもよい。第１の導音管は直線的な構成や円弧構成を有してもよい。
【００５３】
図１１および図１２を参照して、図１１は本開示の別の実施形態に係る電子デバイスの斜視図であり、図１２は図１１の線ＸＩＩ−ＸＩＩに沿って切断した断面図である。電子デバイスの構造は上記の実施形態で説明されているものと同様である。ただし、本実施形態では、コネクタ４６をケース２０と一体形成してもよい。コネクタ４６ｄがケース２０の一部であってもよい。コネクタ４６ｄをケース２０の下壁と左壁との間の角に配置してもよい。第１の音入射孔２０２を下面２１に形成して左面２５の近くに配置してもよい。第２の音入射孔２０４を左面２５に形成して第１の音入射孔２０２の近くに配置してもよい。第１の導音管４６２ｆの２つの端が第１の音入射孔２０２および第２の音入射孔２０４とそれぞれ連通してもよい。第１の導音管４６２ｆはまず第１の音入射孔２０２からハウジング４２に向かって延びてもよく、次に第２の音入射孔２０４に接続するように左面２５の方に偏向してもよい。第１の導音管４６２ｆは円弧形状の移行部を有してもよい。第２の導音管４６４の一端が第１の導音管４６２ｆと連通してもよく、第２の導音管４６４の他端が集音孔４２１と連通してもよい。
【００５４】
他の実施形態では、第１の音入射孔２０２を下面２１に形成して右面２６の近くに配置してもよい。第２の音入射孔２０４を第１の音入射孔２０２の近くで右面２６に形成してもよい。コネクタをケースと一体形成してもよい。コネクタをケースの下壁と右壁との間の角に配置してもよい。第１の誘導管の２つの端が第１の音入射孔２０２および第２の音入射孔２０４とそれぞれ連通してもよい。第１の導音管はまず第１の音入射孔２０２からハウジング４２に向かって延びてもよく、次に第２の音入射孔２０４に接続するように右面２６の方に偏向してもよい。第１の導音管は円弧形状の移行部を有してもよい。第２の導音管４６４の一端が第１の導音管と連通してもよく、導音管４６４の他端が集音孔４２１と連通してもよい。
【００５５】
図１３を参照して、図１３は本開示の別の実施形態に係る電子デバイスの構造図を示す。電子デバイスの構造は上記の実施形態で説明されているものと同様である。ただし、本実施形態では、第１の導音管４６２ｈが円弧形状の導音管であってもよい。円弧形状の導音管の２つの端が第１の音入射孔２０２および第２の音入射孔２０４とそれぞれ連通してもよい。第２の導音管４６４の一端が第１の導音管４６２ｈと連通してもよく、導音管４６４の他端が集音孔４２１と連通してもよい。
【図１】
2021501531.tif 000003
【図２】
2021501531.tif 000004
【図３】
2021501531.tif 000005
【図４】
2021501531.tif 000006
【図５】
2021501531.tif 000007
【図６】
2021501531.tif 000008
【図７】
2021501531.tif 000009
【図８】
2021501531.tif 000010
【図９】
2021501531.tif 000011
【図１０】
2021501531.tif 000012
【図１１】
2021501531.tif 000013
【図１２】
2021501531.tif 000014
【図１３】
2021501531.tif 000015
【国際調査報告】
2021501531.tif 000016
2021501531.tif 000017